(57)【特許請求の範囲】
【請求項１】
周辺部材に固定して設けられた相手ハウジングに嵌合可能とされ、嵌合時に前記周辺部材と近接又は当接して配置され、前記相手ハウジングを係止して嵌合状態に保持することが可能なロック部を有するハウジングと、このハウジングの電線引出面から引き出された電線を覆うように前記ハウジングに取り付けられる、前記ハウジングとは別体のカバーとを備え、
前記カバーは、前記嵌合時に、前記ハウジングからの離脱方向に前記周辺部材が対向して、前記ハウジングと前記周辺部材との間に挟まれるように配置されることを特徴とするコネクタ構造。
【請求項２】
前記カバーの、前記ハウジングからの離脱方向が、前記相手ハウジングに対する嵌合方向と交差する方向に設定され、前記嵌合時に前記嵌合方向に進行してきた前記ハウジングとの干渉を回避可能な位置に前記周辺部材が配置されることを特徴とする請求項１記載のコネクタ構造。
【請求項３】
前記カバーにおける前記電線に臨む面とは反対側の面は、前記周辺部材の外周面にほぼ沿った弧状の形態をなすことを特徴とする請求項１又は２記載のコネクタ構造。
【請求項４】
前記相手ハウジングが前記周辺部材に設置されることを特徴とする請求項１ないし３のいずれか１項記載のコネクタ構造。
【発明の詳細な説明】
【技術分野】
【０００１】
本発明は、コネクタ構造に関する。
【背景技術】
【０００２】
特許文献１には、ハウジングと、電線引出面から引き出された電線を屈曲した状態で収容する、ハウジングとは別体のカバーとを備えたコネクタ構造が開示されている。ハウジングには係止突起が設けられ、カバーの側壁には係止孔が設けられ、係止孔に係止突起が嵌合されることで、カバーがハウジングに保持される。
【先行技術文献】
【特許文献】
【０００３】
【特許文献１】特開２０１２−９４２８９号公報
【発明の概要】
【発明が解決しようとする課題】
【０００４】
上記の場合、仮に、カバーにハウジングから離脱する方向への強い外力が作用すると、係止突起が係止孔から外れ、ハウジングからカバーが脱落するおそれがあった。
【０００５】
本発明は上記のような事情に基づいて完成されたものであって、ハウジングからカバーが脱落するのを防止したコネクタを提供することを目的とする。
【課題を解決するための手段】
【０００６】
本発明は、周辺部材に固定して設けられた相手ハウジングに嵌合可能とされ、嵌合時に前記周辺部材と近接又は当接して配置され、前記相手ハウジングを係止して嵌合状態に保持することが可能なロック部を有するハウジングと、このハウジングの電線引出面から引き出された電線を覆うように前記ハウジングに取り付けられる、前記ハウジングとは別体のカバーとを備え、前記カバーは、前記嵌合時に、前記ハウジングからの離脱方向に前記周辺部材が対向して、前記ハウジングと前記周辺部材との間に挟まれるように配置されるところに特徴を有する。
【発明の効果】
【０００７】
カバーの、ハウジングからの離脱方向に周辺部材が対向することで、カバーがハウジングと周辺部材との間に挟まれるため、ハウジングからカバーが脱落するのが防止される。
【図面の簡単な説明】
【０００８】
【図１】本発明の実施例１において、カバーがソレノイドとハウジングとの間に挟まるように配置され、ハウジングが相手ハウジングと正対した状態を示す側面図である。
【図２】カバーがソレノイドとハウジングとの間に挟まれるように配置され、コネクタが幅方向に複数並んだ状態を後方から見た断面図である。
【図３】コネクタの斜視図である。
【図４】コネクタの正面図である。
【図５】コネクタの背面図である。
【図６】ハウジングの斜視図である。
【図７】カバーの斜視図である。
【発明を実施するための形態】
【０００９】
本発明の好ましい形態を以下に示す。
前記カバーの、前記ハウジングからの離脱方向が、前記相手ハウジングに対する嵌合方向と交差する方向に設定され、前記嵌合時に前記嵌合方向に進行してきた前記ハウジングとの干渉を回避可能な位置に前記周辺部材が配置される。これによれば、カバーを取り付けたハウジングが相手ハウジングとの嵌合を開始する際に、ハウジングが周辺部材と干渉するのが回避され、両ハウジングの嵌合作業を円滑に進めることができる。
【００１０】
前記カバーにおける前記電線に臨む面とは反対側の面は、前記周辺部材の外周面にほぼ沿った弧状の形態をなす。これによれば、例えば、周辺部材が嵌合方向と平行な軸周りに角変位した場合に、カバーが周辺部材と干渉するのが防止される。
【００１１】
前記相手ハウジングが前記周辺部材に設置される。したがって、周辺部材、ハウジング及び相手ハウジングが省スペースにコンパクトにまとまって配置される。
【００１２】
＜実施例＞
本発明の実施例を図１〜図７によって説明する。実施例のコネクタ１０は、相手ハウジング９０に嵌合可能なハウジング２０と、ハウジング２０に取り付けられるカバー６０とを備え、ハウジング２０及びカバー６０は相手ハウジング９０との嵌合時に周辺部材としてのソレノイド８０に近接して配置される。図２に示すように、ソレノイド８０は、円筒状をなし、図示しないオートマチックトランスミッションを構成する部品に沿って前後方向と交差する方向に軸芯を向けつつ複数並んで配置されている。
【００１３】
相手ハウジング９０は合成樹脂製であって、図１に示すように、それぞれのソレノイド８０の外周面に固定して設置されている。具体的には、相手ハウジング９０は、筒状のフード部９１を有し、フード部９１内には、図示しない相手端子金具が突出して配置されている。フード部９１の下面は、正面視又は背面視において円弧を描くように上方へ弓なりに湾曲する相手円弧面９２とされ、設置時に、ソレノイド８０の外周面に沿って配置される。
【００１４】
ハウジング２０は、同じく合成樹脂製であって、図１及び図６に示すように、端子金具５０を収容可能な角ブロック状のハウジング本体２１と、ハウジング本体２１よりも拡幅された状態でハウジング本体２１の後端上縁から後方へ一体に張り出す庇部２２とを有している。
【００１５】
ハウジング本体２１は、相手ハウジング９０のフード部９１内に嵌合可能とされ、内部に、端子金具５０を挿入可能なキャビティ２３を有している。キャビティ２３は、幅方向に複数並んで配置されている。図４に示すように、キャビティ２３の内壁にはランス２４が突出して設けられている。端子金具５０は、キャビティ２３内に正規挿入された状態でランス２４に弾性的に係止され、これによってキャビティ２３内に抜け止め状態に保持される。このとき、図２に示すように、端子金具５０に接続された電線１００は、ハウジング本体２１の後面から延出して後述する通し部２５内に進入し、さらに通し部２５から外部へ嵌合方向と交差する方向に導出させられる。そして、外部へ導出させられた電線１００は、隣接するハウジング２０の通し部２５を貫通し、さらに隣接するハウジング２０の通し部２５内にも進入可能とされており、全体として幅方向に延出する幹線１００Ａを構成するようになっている。幹線１００Ａは、通し部２５内に複数本の電線１００が束ねられることで、幅方向にほぼ真っ直ぐ延出する状態を維持可能な形態保持性を有している。
【００１６】
図３及び図４に示すように、ハウジング本体２１の両側面の後端下部には、後述するカバー６０のカバーロック部６３に係止可能な一対のカバーロック受け部２６が突設されている。ハウジング本体２１の上面には、相手ハウジング９０を係止して嵌合状態に保持することが可能なロック部２７が突設されている。
【００１７】
庇部２２は、前後方向にほぼ沿ったほぼ略板状の形態をなしている。図１及び図６に示すように、庇部２２の前端側の幅方向両端部には、一対の仕切り部２８が下向きに突出して設けられ、庇部２２の後端側の幅方向両端部には、一対のアーム部２９が下向きに突出して設けられている。両仕切り部２８は、短冊板状をなし、ハウジング本体２１の後方に対向して配置され、側面視において、ハウジング本体２１の後面との間に、前後方向に１本分の電線１００を収容可能な開口寸法を有している。また、両アーム部２９は、両仕切り部２８の後方に対向して配置され、後述するカバー６０の背板部６２に嵌着可能な形状とされている。両アーム部２９の下端部には、一対の内側突出部３１が内側へ対向状に突設されている。
【００１８】
図３及び図４に示すように、カバー６０は、ハウジング２０に対して概ね庇部２２と対向する下側（嵌合方向と交差する方向）から組み付けられる。具体的には、図７に示すように、カバー６０は、ハウジング２０への組み付け時に、庇部２２と対向して配置される湾曲板状の基部６１と、基部６１の後端側の幅方向中央部から上向きに突出する背板部６２と、基部６１の前端側の幅方向両端部から上向きに突出する一対のカバーロック部６３とを有している。両カバーロック部６３の上端部には、爪状の係止突起６４が内側へ対向状に突設されている。また、背板部６２の上端には、一対の外側突出部６５が幅方向に張り出して設けられている。
【００１９】
ハウジング２０にカバー６０が保持されると、カバー６０とハウジング２０との間には、幅方向に貫通する通し部２５が区画して形成される。通し部２５は、ハウジング本体２１、庇部２２、アーム部２９、背板部６２及び基部６１によって側面視で全周に閉じた状態となり、図２に示すように、幅方向両端の開口のうち、一方の開口が隣接する通し部２５から電線１００の幹線１００Ａを導入可能な導入口３２となり、他方の開口が自身の通し部２５から電線１００の幹線１００Ａを導出可能な導出口３３となる。
【００２０】
また、通し部２５は、仕切り部２８を介して前後２室に分割された状態となる。具体的には、通し部２５は、図１に示すように、側面視において、ハウジング本体２１の後面と仕切り部２８との間に区画される開口寸法が狭小な第１通し部２５Ａと、仕切り部２８とアーム部２９との間に区画される開口寸法が広大な第２通し部２５Ｂとからなる。第１通し部２５Ａには、各電線１００が高さ方向（上下方向）に縦一列で密に配置され、第２通し部２５Ｂには、各電線１００が高さ方向及び前後方向にほぼ散在して配置される。とくに、第１通し部２５Ａにおいては、各電線１００の前後両端がハウジング本体２１の後面と両仕切り部２８とに当接可能に配置され、各電線１００が前後方向への遊動を規制された状態に保持される。
【００２１】
図２及び図５に示すように、カバー６０の基部６１の下面は、正面視又は背面視において円弧を描くように上方へ弓なりに湾曲するカバー円弧面６６とされる。ここで、通し部２５は、カバー円弧面６６によって、幅方向両端側へ向けて内容積をラッパ状に拡大する形態になっている。このため、両ハウジング２０、９０が嵌合状態にある場合に、ソレノイド８０が両ハウジング１０、９０の嵌合方向と平行な軸心周りに角変位し、その角変位方向（図２のＸ方向又はＹ方向）にコネクタ１０が追従回転しても、電線１００が通し部２５の拡開スペースに逃がされることで、幹線１００Ａの直線性が良好に維持されるようになっている。
【００２２】
次に、実施例のコネクタ１０の作用を説明する。
ハウジング２０にカバー６０を取り付けるに際し、ハウジング２０の内側突出部３１にカバー６０の外側突出部６５を掛け止めさせ（図５を参照）、その掛け止め位置を略支点としてカバー６０を前上方に回動させ、ハウジング２０のカバーロック受け部２６にカバー６０のカバーロック部６３の係止突起６４を下側から係止させる。カバーロック部６３の係止突起６４がカバーロック部６３の上面に当接することにより、カバー６０がハウジング２０から下方へ抜け出るのを規制された状態に保持される。
【００２３】
続いて、図１に示すように、相手ハウジング９０にハウジング２０を正対させ、その状態で、両ハウジング２０、９０の嵌合を開始する。ハウジング２０は相手ハウジング９０との嵌合位置に向けて前進させられるが、この間、ハウジング２０にその嵌合方向で対向する干渉物はソレノイド８０を含めて実質的に存在しない。このため、ハウジング２０は相手ハウジング９０との嵌合位置に支障なく至ることができる。しかも、相手ハウジング９０との嵌合位置へ至る過程では、ソレノイド８０の外周面にカバー６０のカバー円弧面６６を沿わせるようにすることにより、ハウジング２０が相手ハウジング９０との嵌合位置に円滑に導かれる。
【００２４】
両ハウジング２０、９０が嵌合されると、フード部９１内にハウジング２０が挿入され、端子金具５０が相手端子金具と導通接続される。この状態で、カバー６０は、背板部６２が庇部２２に下方から当接するとともに、基部６１が両仕切り部２８及び両アーム部２９に下方から当接することで、ハウジング２０に対して上方に変位するのが規制される。また、カバー６０は、両カバーロック部６３の係止突起６４が両カバーロック受け部２６に上方から当接することで、ハウジング２０に対して下方に変位するのが規制される。
【００２５】
さらに、基部６１のカバー円弧面６６がソレノイド８０の外周面に対面することにより、カバー６０がハウジング２０から抜け出る方向（下方）でソレノイド８０と対向して近接配置される。端的には、カバー６０は、ハウジング２０に取り付けられた状態で、ハウジング２０の庇部２２とソレノイド８０との間に上下方向に挟まれるように配置されることになる。このため、カバー６０に対してハウジング２０から離脱させるような下向きの強い外力が作用し、万一、カバーロック部６３とカバーロック受け部２６との係止が外れそうになっても、外力の作用方向（下側）にソレノイド８０が位置することから、カバー６０がハウジング２０から完全に抜け出るのが防止される。
【００２６】
以上説明したように、実施例によれば、カバー６０がハウジング２０からの離脱方向でソレノイド８０と対向することによってソレノイド８０とハウジング２０との間に挟まれるため、ハウジング２０に対するカバー６０の保持状態が安定して維持される。
【００２７】
また、カバー６０を取り付けたハウジング２０が相手ハウジング９０との嵌合を開始する際に、ハウジング２０がその嵌合方向でソレノイド８０と干渉するのが回避されるため、両ハウジング２０、９０の嵌合作業を円滑に進めることができる。
【００２８】
さらに、カバー６０のカバー円弧面６６がソレノイド８０の外周面にほぼ沿った形状をなすため、ソレノイド８０が嵌合方向と平行な軸周りに角変位した場合に、カバー６０及びハウジング２０がソレノイド８０と干渉するのが防止される。
【００２９】
＜他の実施例＞
本発明は上記記述及び図面によって説明した実施例に限定されるものではなく、例えば次のような態様も本発明の技術的範囲に含まれる。
（１）ハウジング又はカバーがソレノイドの外周面に当接して配置される構成であってもよい。
（２）周辺部材は、ソレノイドに限定されず、例えば、コネクタと近接して配置されるソレノイド以外の自動車の部品であってもよい。
（３）周辺部材がカバーの後方に対向して配置され、カバーがハウジングの後面（電線引出面）から離れる後方へ離脱するのを、周辺部材が抑える構成であってもよい。
【符号の説明】
【００３０】
１０…コネクタ
２０…ハウジング
２２…庇部
２５…通し部
２６…カバーロック受け部
６０…カバー
６１…基部
６３…カバーロック部
６６…カバー円弧面
８０…ソレノイド（周辺部材）
９０…相手ハウジング
１００…電線
【図１】
0006034276.tif 000002
【図２】
0006034276.tif 000003
【図３】
0006034276.tif 000004
【図４】
0006034276.tif 000005
【図５】
0006034276.tif 000006
【図６】
0006034276.tif 000007
【図７】
0006034276.tif 000008